(57)【要約】【課題】  インクジェット記録装置に装着された記録ヘッドにおいてゴミ等の異物による吐出不良が発生した場合でも、通常の吸引回復動作で記録ヘッド内の異物を効率的に排出することのできるインクジェット記録装置、およびこれを使用した記録ヘッドの吸引回復方法を提供する。【解決手段】  記録素子基板の複数の吐出口が開口面積の大きな吐出口群と開口面積の小さな吐出口群とから成り、開口面積の大きな吐出口群と開口面積の小さな吐出口群のそれぞれから個別にインクを排出させる回復手段を有するインクジェット記録装置とする。【選択図】  図１
2006231742.tif 000002
【特許請求の範囲】
【請求項１】
複数の吐出口を有し、該複数の吐出口へインクを供給するインク供給路を有する記録素子基板を備えたインクジェット記録装置において、
前記複数の吐出口は開口面積の大きな吐出口群と開口面積の小さな吐出口群とから成り、
前記開口面積の大きな吐出口群と前記開口面積の小さな吐出口群のそれぞれから個別に
インクを排出させる回復手段を有することを特徴とするインクジェット記録装置。
【請求項２】
前記開口面積の大きな吐出口群は前記開口面積の小さな吐出口群の配列方向の端部に配置されており、
前記開口面積の大きな吐出口群の吐出口は記録に寄与しないダミー吐出口である記録素子基板を
有することを特徴とする請求項１に記載のインクジェット記録装置。
【請求項３】
前記開口面積の大きな吐出口群と前記開口面積の小さな吐出口群とが対向する位置に配列されている
記録素子基板を有することを特徴とする請求項１に記載のインクジェット記録装置。
【請求項４】
前記記録素子基板の不吐出検出手段を有する請求項1から請求項３のいずれかに記載のインクジェット記録装置。
【請求項５】
請求項１に記載のインクジェット記録装置における吸引回復方法であって、前記開口面積の小さな吐出口群より先に前記開口面積の大きな吐出口群を回復することを特徴とする吸引回復方法。
【請求項６】
前記開口面積の大きな吐出口群を回復する際に、前記開口面積の小さな吐出口群を大気に開放していることを特徴とする請求項５に記載の吸引回復方法。
【請求項７】
前記開口面積の大きな吐出口群が前記開口面積の小さな吐出口群の配列方向の両端部に配置されている
記録素子基板を有するインクジェット記録装置における吸引回復方法であって、前記開口面積の大きな吐出口群から交互に回復することを特徴とする請求項５又は、請求項６に記載の吸引回復方法。
【請求項８】
前記開口面積の大きな吐出口群と前記開口面積の小さな吐出口群とが対向する位置に配列されている
記録素子基板を有するインクジェット記録装置において、一方の吐出口群から回復する際に、他方の吐出口群をキャップの外縁部で塞いでいることを特徴とする請求項５に記載の吸引回復方法。
【発明の詳細な説明】
【技術分野】
【０００１】
本発明は、インクを吐出するインクジェット記録ヘッドを用いたインクジェット記録装置において、インク吐出口の目詰まりが発生した場合に、回復するための吐出回復処理を行なうインクジェット記録装置、および回復方法に関するものである。
【背景技術】
【０００２】
従来より、インクジェット記録ヘッドに形成された複数のインク吐出口から、記録データに基づいて選択的にインク滴を吐出し、そのインク滴を被記録媒体の記録面に付着させることによって、画像を記録するインクジェット記録装置が実用に供されている。このようなインクジェット記録装置において、シリアルスキャンタイプのものは、被記録媒体の搬送方向（副走査方向）と交差する主走査方向に移動されるキャリッジ部に、インクジェット記録ヘッドが搭載される構成となっている。
【０００３】
インクジェット記録ヘッドは、例えばプリント配線基板を通して、記録素子基板における各発熱抵抗素子に駆動制御信号が供給される。その駆動制御信号に応じて発熱抵抗素子が発熱することにより、インクが加熱されて膜沸騰現象により気泡を発生し、その気泡の膨張に伴ってインク吐出口からインク滴として吐出される。吐出されたインク滴は、被記録媒体に着弾することによって画像を形成する。
【０００４】
このようなインクジェット記録装置には、記録ヘッドの吐出口内の気泡の侵入、記録ヘッドのインク流路内への異物の混入等による目詰まりに基づく、インク吐出不良を防止、回復するための吐出回復手段がこれまで採用されている。
【０００５】
記録ヘッドの吐出口内や共通液室内に気泡が侵入してしまったり、記録ヘッドのインク流路内へ異物が混入してしまった場合には、記録ヘッドによる安定で正常な記録動作ができなくなってしまう。そこで、吸引回復方法では、例えばインク排出チューブを介して吸引ポンプに連結された吸引キャップ用シールゴムを介して、記録ヘッドの吐出口面の記録吐出口の外側領域に当接、密閉させた後に吸引ポンプを駆動し、吸引キャップと記録ヘッドの吐出口面の間の密閉空間内の気圧を大気圧以下の負圧状態にして記録ヘッドの吐出口内からインクを吸引排出させ、廃インクタンクへ回収するという記録ヘッドの吐出回復処理を行っている。
【０００６】
又、別の従来例としては、特許文献１及び特許文献２をあげることが出来る。
【特許文献１】特開平０６−２０６３２０号公報
【特許文献２】特開平０８−２８１９７２号公報
【発明の開示】
【発明が解決しようとする課題】
【０００７】
ところで、上述したように記録ヘッドを用いたインクジェット記録装置においては、近年、銀塩写真に匹敵するような高画質高精細な記録の要求が高まってきている。そのため、例えば、記録品位の向上のために記録密度の向上および記録液滴の微小化が急速に進んでいる。これに伴い、記録液を吐出するためのノズルの配列密度が高くなり、記録液を吐出するための吐出口の開口面積が極めて小さくなる傾向にある。また、記録速度の向上の要求もあるため、高画質化と高速化を同時に実現するために開口面積の大きな吐出口と開口面積の小さな吐出口を一つの記録素子基板の中に配列した形態の記録ヘッドが提供されている。
【０００８】
以上のような理由から、吐出口、特に開口面積の小さな吐出口にゴミ等の異物が入り込む確率が増加し、印字不良が発生しやすく、製造工程やユーザーが記録ヘッドを使用中に吐出口にゴミ等の異物が詰まり、印字不良が発生する場合があった。
【０００９】
そこで、本発明ではインクジェット記録装置に装着された記録ヘッドにおいてゴミ等の異物による吐出不良が発生した場合でも、通常の吸引回復動作で記録ヘッド内の異物を効率的に排出することのできるインクジェット記録装置、およびこれを使用した記録ヘッドの吸引回復方法を提供するものである。
【課題を解決するための手段】
【００１０】
上述の課題を解決するために、本発明のインクジェット記録装置は複数の吐出口を有し、該複数の吐出口へインクを供給するインク供給路を有する記録素子基板を備えており、前記複数の吐出口は開口面積の大きな吐出口群と開口面積の小さな吐出口群とから成り、前記開口面積の大きな吐出口群と前記開口面積の小さな吐出口群のそれぞれから個別にインクを排出させる吸引回復手段を有することを特徴とする。
【００１１】
また、本発明のインクジェット記録装置は前記開口面積の大きな吐出口群は前記開口面積の小さな吐出口群の配列方向の端部に配置されており、前記開口面積の大きな吐出口群の吐出口は記録に寄与しないダミー吐出口である記録素子基板を有することを特徴とする。
【００１２】
更に、本発明のインクジェット記録装置は前記開口面積の大きな吐出口群と前記開口面積の小さな吐出口群とが対向する位置に配列されている記録素子基板を有することを特徴とする。
【００１３】
また、本発明のインクジェット記録装置は、記録素子基板の不吐出検出手段を有することを特徴とする。
【００１４】
本発明の吸引回復方法は、前記インクジェット記録装置において、前記開口面積の小さな吐出口群より先に前記開口面積の大きな吐出口群を回復することを特徴とする。
【００１５】
また、本発明の吸引回復方法は、前記開口面積の大きな吐出口群を回復する際に、前記開口面積の小さな吐出口群を大気に開放していることを特徴とする。
【００１６】
さらに、本発明の吸引回復方法は、前記開口面積の大きな吐出口群が前記開口面積の小さな吐出口群の配列方向の両端部に配置されている記録素子基板を有するインクジェット記録装置において、前記開口面積の大きな吐出口群から交互に回復することを特徴とする。
【００１７】
本発明の吸引回復方法は、前記開口面積の大きな吐出口群と前記開口面積の小さな吐出口群とが対向する位置に配列されている記録素子基板を有するインクジェット記録装置において、一方の吐出口群から回復する際に、他方の吐出口群をキャップの外縁部で塞いでいることを特徴とする。
【発明を実施するための最良の形態】
【００１８】
以下、図面を参照して本発明の実施の形態を説明する。
【００１９】
図１から図６、および図１９は、本発明が実施もしくは適用される好適なヘッドカートリッジ、記録ヘッド、インクタンクのそれぞれ及びそれぞれの関係を説明するための説明図である。以下、これらの図面を参照して各構成要素の説明を行う。
【００２０】
本発明の記録ヘッドH１００１は、図１９及び図４の斜視図でわかるように、記録ヘッドカートリッジH１０００を構成する一構成要素であり、記録ヘッドカートリッジH１０００は、記録ヘッドH１００１と記録ヘッドH１００１に着脱自在に設けられたインクタンクH１９００（H１９０１，H１９０２，H１９０３，H１９０４）とで構成されている。この記録ヘッドカートリッジH１０００は、インクジェット記録装置本体に載置されているキャリッジＭ４００１（不図示）の位置決め手段及び電気的接点によって固定支持されるとともに、該キャリッジＭ４００１に対して着脱可能となっている。インクタンクH１９０１はブラックのインク用、インクタンクH１９０２はシアンのインク用、インクタンクH１９０３はマゼンタのインク用、インクタンクH１９０４はイエローのインク用である。この様にインクタンクH１９０１，H１９０２，H１９０３，H１９０４のそれぞれが記録ヘッドH１００１に対して着脱自在となり、それぞれのインクタンクが交換可能となっていることにより、インクジェット記録装置における印刷のランニングコストが低減される。
【００２１】
次に記録ヘッドＨ１００１に関してさらに詳しく記録ヘッドを構成しているそれぞれの構成要素毎に順を追って説明する。
【００２２】
（１）記録ヘッド
記録ヘッドH１００１は、電気信号に応じて膜沸騰をインクに対して生じせしめるための熱エネルギーを生成する電気熱変換体を用いて記録を行うバブルジェット（登録商標）方式のサイドシュータ型とされる記録ヘッドである。
【００２３】
記録ヘッドH１００１は、図２の分解斜視図に示すように、記録素子ユニットH１００２とインク供給ユニットH１００３とタンクホルダーH２０００から構成される。
【００２４】
さらに、図３の分解斜視図に示すように、記録素子ユニットH１００２は、第一の記録素子基板H１１００、第二の記録素子基板H１１０１、第１のプレートH１２００、電気配線テープH１３００、電気コンタクト基板Ｈ２２００、第２のプレートH１４００で構成されており、また、インク供給ユニットＨ１００３は、インク供給部材Ｈ１５００、流路形成部材Ｈ１６００、ジョイントゴムＨ２３００、フィルターＨ１７００、シールゴムＨ１８００から構成されている。
【００２５】
（１−１）記録素子ユニット
図１と図９は、第一の記録素子基板Ｈ１１００の構成を説明するための斜視図、および矢視A-A方向の断面図である。第一の記録素子基板Ｈ１１００は、例えば、厚さ０．５〜１ｍｍのＳｉ基板にインク流路として長溝状の貫通口からなるインク供給路Ｈ１１０２がＳｉの結晶方位を利用した異方性エッチングやサンドブラストなどの方法で形成され、インク供給路Ｈ１１０２を挟んだ両側に電気熱変換素子Ｈ１１０３がそれぞれ１列ずつ配列され、前記電気熱変換素子Ｈ１１０３と、電気熱変換素子Ｈ１１０３に電力を供給するAｌ等の電気配線は成膜技術により形成されている。さらに、前記電気配線に電力を供給するための電極部Ｈ１１０４が電気熱変換素子H１１０３の両外側に配列されており、電極部H１１０４にはＡｕ等のバンプＨ１１０５が形成されている。そして、前記Ｓｉ基板上には、電気熱変換素子Ｈ１１０３に対応したインク流路を形成するためのインク流路壁Ｈ１１０６と吐出口Ｈ３００１が樹脂材料でフォトリソ技術によりに形成され、吐出口群Ｈ３００１-Ａを形成している。したがって、前記電気熱変換素子Ｈ１１０３に対向して前記吐出口が設けられているため、インク流路Ｈ１１０２から供給されたインクは電気熱変換素子Ｈ１１０３により発生した気泡により吐出される。
【００２６】
また図５は第二の記録素子基板Ｈ１１０１の構成を説明するために一部分解した斜視図である。第二の記録素子基板Ｈ１１０１は３色のインクを吐出させるための記録素子基板であり、3個のインク供給路Ｈ１１０２が並列して形成されており、それぞれのインク供給路を挟んだ両側に電気熱変換素子とインク吐出口が形成されている。もちろん第一の記録素子基板Ｈ１１００と同じようにＳｉ基板にインク供給路や電気熱変換素子、電気配線、電極部などが形成されておりその上に樹脂材料でフォトリソ技術によりインク流路やインク吐出口が形成されている。
【００２７】
そして第一の記録素子基板と同様に電気配線に電力を供給するための電極部Ｈ１１０４にはＡｕ等のバンプＨ１１０５が形成されている。
【００２８】
次に第１のプレートＨ１２００は、例えば、厚さ０．５〜１０ｍｍのアルミナ（Ａｌ２Ｏ３）材料で形成されている。なお、第１のプレートの素材は、アルミナに限られることなく、記録素子基板Ｈ１１００の材料の線膨張率と同等の線膨張率を有し、かつ、記録素子基板Ｈ１１００材料の熱伝導率と同等もしくは同等以上の熱伝導率を有する材料で作られてもよい。第１のプレートＨ１２００の素材は、例えば、シリコン（Ｓｉ）、窒化アルミニウム（ＡｌＮ）、ジルコニア、窒化珪素（Ｓｉ３Ｎ４）、炭化珪素（ＳｉＣ）、モリブデン（Ｍｏ）、タングステン（Ｗ）のうちいずれであってもよい。第１のプレートＨ１２００には、第一の記録素子基板Ｈ１１００に例えばブラックのインクを供給するためのインク供給路Ｈ１２０１と第二の記録素子基板Ｈ１１０１に例えばシアン、マゼンタ、イエローのインクを供給するためのインク供給路Ｈ１２０１が形成されており、記録素子基板のインク供給路１１０２が第１のプレートＨ１２００のインク供給路Ｈ１２０１にそれぞれ対応し、かつ、第一の記録素子基板Ｈ１１００と第二の記録素子基板Ｈ１１０１はそれぞれ第１のプレートＨ１２００に対して位置精度良く接着固定される。接着に用いられる第１の接着剤Ｈ１２０２は、低粘度で硬化温度が低く、短時間で硬化し、硬化後比較的高い硬度を有し、かつ、耐インク性のあるものが望ましい。その第１の接着剤Ｈ１２０２は、例えば、エポキシ樹脂を主成分とした熱硬化接着剤であり、接着層の厚みは５０μｍ以下が望ましい。
【００２９】
電気配線テープＨ１３００は、第一の記録素子基板Ｈ１１００と第二の記録素子基板Ｈ１１０１に対してインクを吐出するための電気信号を印加するものであり、それぞれの記録素子基板を組み込むための複数の開口部と、それぞれの記録素子基板の電極部Ｈ１１０４に対応する電極端子Ｈ１３０２と、この配線テープ端部に位置し本体装置からの電気信号を受け取るための外部信号入力端子Ｈ１３０１を有した電気コンタクト基板Ｈ２２００と電気的接続をおこなうための電極端子部Ｈ１３０３を有しており電極端子Ｈ１３０２と電極端子１３０３は連続した銅箔の配線パターンでつながっている。
【００３０】
電気配線テープH１３００と第一の記録素子基板１１００と第二の記録素子基板Ｈ１１０１は、それぞれ電気的に接続されており、接続方法は、例えば、記録素子基板の電極部１１０４と電気配線テープＨ１３００の電極端子Ｈ１３０２が熱超音波圧着法により電気接合されている。
【００３１】
第２のプレートH１４００は、例えば、厚さ０．５〜１ｍｍの一枚の板状部材であり、例えばアルミナ（Ａｌ２Ｏ３）等のセラミックや、Ａｌ、ＳＵＳなどの金属材料で形成されている。そして、第１のプレートＨ１２００に接着固定された第一の記録素子基板Ｈ１１００と第二の記録素子基板Ｈ１１０１の外形寸法よりも大きな開口部をそれぞれ有する形状となっている。また、第一の記録素子基板Ｈ１１００および第二の記録素子基板Ｈ１１０１と電気配線テープＨ１３００を平面的に電気接続できるように第１のプレートＨ１２００に第２の接着剤Ｈ１２０３により接着されており、電気配線テープＨ１３００の裏面が第３の接着剤Ｈ１３０６により接着固定される。
【００３２】
第一の記録素子基板Ｈ１１００及び第二の記録素子基板Ｈ１１０１と電気配線テープＨ１３００の電気接続部分は、第１の封止剤Ｈ１３０７（不図示）及び第２の封止剤Ｈ１３０８により封止され、電気接続部分をインクによる腐食や外的衝撃から保護している。第１の封止剤は、主に電気配線テープの電極端子Ｈ１３０２と記録素子基板の電極部Ｈ１１０4との接続部の裏面側と記録素子基板の外周部分を封止し、第２の封止剤は、前記接続部の表側を封止している。
【００３３】
さらに電気配線テープの端部に本体装置からの電気信号を受け取るための外部信号入力端子Ｈ１３０１を有した電気コンタクト基板Ｈ２２００を異方性導電フィルム等を用いて熱圧着して電気的に接続する。
【００３４】
そして電気配線テープＨ１３００は、第１のプレートＨ１２００の一側面で折り曲げられ、第１のプレートＨ１２００の側面に第３の接着剤Ｈ１３０６で接着される。第３の接着剤Ｈ１３０６は、例えば、エポキシ樹脂を主成分とした厚さ１０〜１００μｍの熱硬化接着剤が使用される。
【００３５】
（１−２）インク供給ユニット
インク供給部材Ｈ１５００は、例えば、樹脂成形により形成されている。該樹脂材料には、形状的剛性を向上させるためにガラスフィラーを５〜４０％混入した樹脂材料を使用することが望ましい。
【００３６】
図３、図６に示すように、インク供給部材Ｈ１５００は、インクタンクＨ１９００から記録素子ユニットＨ１００２にインクを導くためのインク供給ユニットＨ１００３の一構成部品であり、流路形成部材Ｈ１６００を超音波溶着することによりインク流路Ｈ１５０１を形成している。また、インクタンクＨ１９００と係合するジョイントＨ１５１７には、外部からのゴミの進入を防ぐためのフィルターＨ１７００が溶着により接合されており、さらに、ジョイントＨ１５１７部からのインクの蒸発を防止するために、シールゴムＨ１８００が装着されている。
またインク供給部材Ｈ１５００は、着脱自在のインクタンクＨ１９００を保持する機能も一部有しており、インクタンクＨ１９００の第２の爪Ｈ１９１０を係合する第１の穴Ｈ１５０３を有している。
【００３７】
また、記録ヘッドカートリッジＨ１０００をインクジェット記録装置本体のキャリッジＭ４００１に装着位置に案内するための装着ガイドＨ１６０１、記録ヘッドカートリッジをヘッドセットレバーによりキャリッジＭ４００１に装着固定するための係合部Ｈ１５０８、及びキャリッジＭ４００１の所定の装着位置に位置決めするためのＸ方向（キャリッジスキャン方向）の突き当て部Ｈ１５０９、Ｙ方向（記録メディア搬送方向）の突き当て部Ｈ１５１０、Ｚ方向（インク吐出方向）の突き当て部Ｈ１５１１を備えている。また、記録素子ユニットＨ１００２の電気コンタクト基板Ｈ２２００を位置決め固定する端子固定部Ｈ１５１２を有し、端子固定部Ｈ１５１２及びその周囲には複数のリブが設けられ、端子固定部Ｈ１５１２を有する面の剛性を高めている。
【００３８】
（１−３）記録ヘッドユニットとインク供給ユニットの結合
先述の図２に示した通り、記録ヘッドＨ１００１は、記録素子ユニットＨ１００２をインク供給ユニットＨ１００３に結合しさらにタンクホルダーＨ２０００と結合することにより完成する。結合は以下のように行われる。
【００３９】
記録素子ユニットＨ１００２のインク供給路（第１のプレートＨ１２００のインク供給路Ｈ１２０１）とインク供給ユニットＨ１００３のインク供給路（流路形成部材Ｈ１６００のインク供給路Ｈ１６０１）をインクがリークしないように連通させるため、ジョイントゴムＨ２３００を介してそれぞれの部材を圧着するようビスＨ２４００で固定する。この際同時に、記録素子ユニットＨ１００２はインク供給ユニットのＸ方向、Ｙ方向、Ｚ方向の基準位置に対して正確に位置決めがされ固定される。
【００４０】
そして記録素子ユニットＨ１００２の電気コンタクト基板Ｈ１３０１はインク供給部材Ｈ１５００の一側面に、端子位置決めピンＨ１５１５（２ヶ所）と端子位置決め穴Ｈ１３０９（２ヶ所）により位置決めされ、固定される。固定方法は、例えば、インク供給部材Ｈ１５００に設けられた端子結合ピンＨ１５１５を加締めることにより固定されるが、その他の固定手段を用いて固定しても良い。完成図を図7に示す。
【００４１】
さらにインク供給部材Ｈ１５００のタンクホルダーとの結合穴及び結合部をタンクホルダーＨ２０００に勘合させ結合することにより記録ヘッドＨ１００１が完成する。
【００４２】
完成図を図８に示す。
【００４３】
（２）記録ヘッドカートリッジの説明
先述の図１９、図４は、記録ヘッドカートリッジＨ１０００を構成する記録ヘッドＨ１００１とインクタンクＨ１９０１、Ｈ１９０２、Ｈ１９０３、Ｈ１９０４の装着を説明する図であり、インクタンクＨ１９０１、Ｈ１９０２、Ｈ１９０３、Ｈ１９０４の内部には、対応する色のインクが収納されている。また、図６に示すようにそれぞれのインクタンクには、インクタンク内のインクを記録ヘッドＨ１００１に供給するためのインク供給路Ｈ１９０７が形成されている。例えばインクタンク１９０１Ｈが記録ヘッドＨ１００１に装着されると、インクタンクＨ１９０１のインク供給路Ｈ１９０７が記録ヘッドＨ１００１のジョイント部Ｈ１５２０に設けられたフィルターＨ１７００と圧接され、インクタンクＨ１９０１内のブラックインクがインク供給路Ｈ１９０７から記録ヘッドＨ１００１のインク流路Ｈ１５０１を介して第一のプレートＨ１２００を通り、第一の記録素子基板に供給される。
【００４４】
そして、電気熱変換素子Ｈ１１０３と吐出口Ｈ１１０７のある発泡室Ｈ１１０９にインクが供給され、電気熱変換素子Ｈ１１０３に与えられる熱エネルギーによって被記録媒体である記録用紙に向けて吐出される。
【実施例１】
【００４５】
図１に本実施例に用いた記録素子基板Ｈ１１００の概略を示す斜視図を示した。開口面積の小さな吐出口Ｈ３００１が複数、インク供給路Ｈ１１０２を挟んで互いに対向する位置に配列されており、開口面積の小さな吐出口群Ｈ３００１-Ａを形成している。一方、開口面積の大きな吐出口Ｈ３００２も複数、インク供給路Ｈ１１０２を挟んで互いに対向するように配列され、開口面積の大きな吐出口群Ｈ３００２-Ａ、Ｈ３００２-Ｂを形成している。開口面積の大きな吐出口群Ｈ３００２-Ａ、Ｈ３００２-Ｂは、開口面積の小さな吐出口群Ｈ３００１-Ａの配列の両端部に配置されている。本実施例において、開口面積の大きな吐出口群Ｈ３００２-Ａ、Ｈ３００２-Ｂは、記録媒体への記録に直接使用されないダミーの吐出口である。これら複数の吐出口は、記録ヘッドが印字時に走査される方向に対して、インク供給路を挟んで千鳥状に配置されている。本実施例では記録素子基板Ｈ１１００の一つのインク供給路Ｈ１１０２から、開口面積が大きな吐出口群Ｈ３００２-Ａ、Ｈ３００２-Ｂと開口面積が小さな吐出口群Ｈ３００１-Ａの両方の吐出口群へインクを供給する構成になっている。図９は図１の矢視A-Aで示した記録素子基板Ｈ１１００の断面図である。
【００４６】
図１０に、インクジェット記録装置の記録ヘッドＨ１００１の吸引回復手段の一部として設けたキャップＨ３１００を示した。キャップＨ３１００は、それぞれの吐出口群の周囲を密閉する構成になっている。キャップＨ３１００の内部は、開口面積の小さな吐出口群Ｈ３００１-Ａ、開口面積の大きな吐出口群Ｈ３００２-Ａ、Ｈ３００２-Ｂに対応するように３つの空間Ｈ３１０１、Ｈ３１０２-Ａ、Ｈ３１０２-Ｂに仕切られており、各々独立した空間が形成されている。キャップは一般にブチルゴム、その他の弾性を有する適当な材料で形成されている。各吐出口群を覆うキャップの内部には、吸引ポンプと繋がる吸引路Ｈ３１０３、Ｈ３１０４、Ｈ３１０５がそれぞれ設けられている。これらの吸引ポンプと吸引路を通じて、キャップＨ３１００の内部に仕切られた空間Ｈ３１０１、Ｈ３１０２-Ａ、Ｈ３１０２-Ｂに対して、独立して吸引力を作用させることができる。この場合、吸引路毎に吸引ポンプを設けても良いし、吸引ポンプと繋がる複数の吸引路にそれぞれバルブを設けてキャップＨ３１００の内部で仕切られた空間毎に吸引力を作用させるように構成しても良い。また本実施例では、一体的に形成され、各吐出口群の間に仕切りを設けた図１０のような形状のキャップとしたが、キャップは互いに隣接するように配置された別体のキャップであっても良い。
【００４７】
本実施例において、記録ヘッドＨ１００１の吸引回復の必要が生じた場合、記録ヘッドＨ１００１は記録媒体の無い記録領域外にてキャップＨ３１００が記録素子基板Ｈ１１００の表面を覆ってキャップクローズの状態となる。図１１（ａ）に、キャップＨ３１００が記録素子基板Ｈ１１００の表面を覆い、キャップクローズとなった状態で開口面積の大きな吐出口群Ｈ３００２-Ａ、Ｈ３００２-Ｂからインクが排出される際の記録ヘッドＨ１００１の側断面図を示す。この状態で吸引ポンプＰ１、Ｐ２、Ｐ３を動作させ、キャップＨ３１００の内部において仕切られた空間空間Ｈ３１０１、Ｈ３１０２-Ａ、Ｈ３１０２-Ｂに対して吸引力を作用させる。
【００４８】
吸引回復動作を行なう際には、開口面積が小さな吐出口群Ｈ３００１-Ａの回復に先立ち、開口面積が大きな吐出口群Ｈ３００２-Ａ、Ｈ３００２-Ｂから吸引する。これは、インク供給路Ｈ１１０２内に浮遊している異物、あるいは開口面積の小さな吐出口群Ｈ３００１-Ａの周囲に浮遊し、回復動作時にこれら開口面積の小さな吐出口Ｈ３００１に詰まってしまうようなゴミ等の異物を、開口面積の大きな吐出口群Ｈ３００２-Ａ、Ｈ３００２-Ｂから回復することで先に記録ヘッド外へ排出するためである。開口面積の大きな吐出口群Ｈ３００２-Ａ、Ｈ３００２-Ｂを覆うキャップＨ３１００の内部空間Ｈ３１０２-Ａ、Ｈ３１０２-Ｂに連通した吸引ポンプＰ１、Ｐ３を動作させることによって同空間内に吸引力を作用させる。この際、開口面積の小さな吐出口群Ｈ３００１-Ａを覆うキャップＨ３１００の内部空間Ｈ３１０１-Ａは大気と連通していない密閉された状態になっている。よって、第１のプレートＨ１２００のインク供給路Ｈ１２０１内にある異物、あるいは記録素子基板Ｈ１１００のインク流路Ｈ１１０２内にある異物は黒い矢印方向のインク流に沿って、吸引路Ｈ３１０４、Ｈ３１０５を通して記録ヘッド外へ排出される。
【００４９】
開口面積の大きな吐出口群Ｈ３００２-Ａ、Ｈ３００２-Ｂからの吸引回復が終了した後に、開口面積の小さな吐出口群Ｈ３００１-Ａの吸引回復を行なう。その際に、開口面積の大きな吐出口群Ｈ３００２-Ａ、Ｈ３００２-ＢはキャップＨ３１００によって密閉されているので、吸引回復時の開口面積の大きな吐出口群Ｈ３００２-Ａ、Ｈ３００２-Ｂへの空気の入り込みを防止し、インク落ちによる印字不良を防止できる。
【００５０】
本実施例の構成の記録ヘッドＨ１００１を用いて、開口面積の小さな吐出口Ｈ３００１に詰まった異物を除去する第二の方法について以下に述べる。異物を除去する第二の方法として、開口面積の小さな吐出口群Ｈ３００１-Ａを覆うキャップＨ３１００の内部空間Ｈ３１０１-Ａを大気連通の状態とする。更に、記録ヘッドＨ１００１の記録素子基板H１１００のインク流路Ｈ１１０２の上流側に設けられたバルブＢを閉じた状態とし、インク供給ユニット側から新しいインクが記録ヘッドＨ１００１内に供給されないようにする。この状態で、吸引ポンプＰ１、Ｐ３を動作させることによって開口面積の大きな吐出口群Ｈ３００２-Ａ、Ｈ３００２-Ｂからインクを吸引する。開口面積の小さな吐出口群Ｈ３００１-Ａの吐出口Ｈ３００１は大気と連通した状態になっているので、開口面積の小さな吐出口Ｈ３００１に詰まった異物、記録素子基板Ｈ１１００のインク流路内Ｈ１１０２に浮遊する異物はインクと空気の両方の流れと共に、吸引路Ｈ３１０４、Ｈ３１０５を通して記録ヘッド外へ排出される。
【００５１】
開口面積の大きな吐出口群Ｈ３００２-Ａ、Ｈ３００２-Ｂからの吸引回復が終了した後に、開口面積の小さな吐出口群Ｈ３００１-Ａの吸引回復を行なう。その際に、バルブＢは開いた状態とし、インク供給ユニット側から新しいインクが記録ヘッドＨ１００１内に供給されるようにする。前記の状態で吸引ポンプＰ２を動作させることによってキャップＨ３１００の内部空間Ｈ３１０１内に吸引力を作用させ、記録素子基板Ｈ１１００のインク供給路Ｈ１１０２を新しいインクで満たす。本実施例の第二の吸引回復方法でインク流路内Ｈ１１０２内が十分に新しいインクで満たされない場合は、キャップＨ３１００の内部空間Ｈ３１０１内に吸引力を作用させた後、もしくはキャップＨ３１００の内部空間Ｈ３１０１内に吸引力を作用させるのと同時にキャップＨ３１００の内部空間Ｈ３１０２-Ａ、Ｈ３１０２-Ｂにも吸引力を作用させても良い。
【００５２】
本実施例では、一つのインク供給路しかないタイプの記録素子基板について述べたが、一つの記録素子基板に対して複数のインク供給路を有するタイプの記録素子基板であっても同様の効果が得られる。
【実施例２】
【００５３】
本実施例では実施例１と同様な構成の記録素子基板Ｈ１１００および、キャップＨ３１００等の吸引回復手段を用いた。本実施例においては、開口面積が大きな吐出口群Ｈ３００２-Ａ、Ｈ３００２-Ｂから吸引する際に、吐出口群Ｈ３００２-Ａと吐出口群Ｈ３００２-Ｂの片側ずつから交互に吸引を行なった。これは、開口面積が大きな吐出口群Ｈ３００２-Ａ、Ｈ３００２-Ｂから同時に吸引する際に、図１１（ｂ）に示した領域Ｃの近傍に流れの淀みが生じ、記録素子基板Ｈ１１００のインク供給路Ｈ１１０２の中の異物が十分に排出できない場合があったためである。
【００５４】
キャップＨ３１００が記録素子基板Ｈ１１００の表面を覆い、キャップクローズとなった状態でインクが排出される際の記録ヘッドＨ１１００の側断面図を図１２、図１４に示す。まず、図１２に示すように、開口面積の大きな吐出口群Ｈ３００２-Ａを覆うキャップＨ３１００の内部空間Ｈ３１０２-Ａにのみ吸引力を作用させることで、第１のプレートＨ１２００のインク供給路Ｈ１２０１内にある異物、あるいは記録素子基板Ｈ１１００のインク流路Ｈ１１０２内にある異物を黒い矢印方向のインク流に沿って、吸引路Ｈ３１０４を通して記録ヘッド外へ排出する。続いて、図１３に示すように、開口面積の大きな吐出口群Ｈ３００２-Ｂを覆うキャップＨ３１００の内部空間Ｈ３１０２-Ｂにのみ吸引力を作用させることで、第１のプレートＨ１２００のインク供給路Ｈ１２０１内にある異物、あるいは記録素子基板Ｈ１１００のインク流路Ｈ１１０２内にある異物が矢印方向のインク流に沿って、吸引路Ｈ３１０５を通して記録ヘッド外へ排出される。
【００５５】
本実施例では、開口面積の大きな吐出口群Ｈ３００２-Ａ、Ｈ３００２-Ｂの片側ずつから交互にインクを吸引することで、第一のプレートＨ１２００のインク流路Ｈ１２０２と記録素子基板Ｈ１１００のインク流路Ｈ１１０２が交わる近傍の領域の流れの淀みが無くなり、インク流路Ｈ１１０２内の異物を記録ヘッド外へ排出できる。さらに、必要に応じて開口面積の大きな吐出口群Ｈ３００２-Ａ、Ｈ３００２-Ｂの片側ずつから複数回、交互にインクを吸引しても良い。
【００５６】
開口面積の大きな吐出口群Ｈ３００２-Ａ、Ｈ３００２-Ｂからの吸引回復が終了した後に、開口面積の小さな吐出口群Ｈ３００１-Ａの吸引回復を行なう。その際に、開口面積の大きな吐出口群Ｈ３００２-Ａ、Ｈ３００２-ＢはキャップＨ３１００によって密閉されているので、吸引回復時の開口面積の大きな吐出口群Ｈ３００２-Ａ、Ｈ３００２-Ｂへの空気の入り込みを防止し、インク落ちによる印字不良を防止できる。
【００５７】
本実施例においても実施例１と同様に、開口面積の小さな吐出口Ｈ３００１に詰まった異物を除去する第二の方法を選択しても良い。すなわち、異物を除去する第二の方法として、開口面積の小さな吐出口群Ｈ３００１-Ａを覆うキャップＨ３１００の内部空間Ｈ３１０１-Ａを大気連通の状態とする。更に、記録ヘッドＨ１００１の記録素子基板H１１００のインク流路Ｈ１１０２の上流側に設けられたバルブＢを閉じた状態とし、インク供給ユニット側から新しいインクが記録ヘッドＨ１００１内に供給されないようにする。この状態で、吸引ポンプＰ１、Ｐ３を交互に動作させ、開口面積の大きな吐出口群Ｈ３００２-Ａ、Ｈ３００２-Ｂから交互にインクを吸引する。開口面積の小さな吐出口群Ｈ３００１-Ａの吐出口Ｈ３００１は大気と連通した状態になっているので、開口面積の小さな吐出口Ｈ３００１に詰まった異物、記録素子基板Ｈ１１００のインク流路内Ｈ１１０２に浮遊する異物はインクと空気の両方の流れと共に、吸引路Ｈ３１０４、Ｈ３１０５を通して記録ヘッド外へ排出される。開口面積の大きな吐出口群Ｈ３００２-Ａ、Ｈ３００２-Ｂからの吸引回復が終了した後に、開口面積の小さな吐出口群Ｈ３００１-Ａの吸引回復を行なう。その際に、バルブＢは開いた状態とし、インク供給ユニット側から新しいインクが記録ヘッドＨ１００１内に供給されるようにする。前記の状態で吸引ポンプＰ２を動作させることによってキャップＨ３１００の内部空間Ｈ３１０１内に吸引力を作用させ、記録素子基板Ｈ１１００のインク供給路Ｈ１１０２を新しいインクで満たす。本実施例の第二の吸引回復方法でインク流路内Ｈ１１０２内が十分に新しいインクで満たされない場合は、キャップＨ３１００の内部空間Ｈ３１０１内に吸引力を作用させた後、もしくはキャップＨ３１００の内部空間Ｈ３１０１内に吸引力を作用させるのと同時にキャップＨ３１００の内部空間Ｈ３１０２-Ａ、Ｈ３１０２-Ｂにも吸引力を作用させても良い。
【００５８】
本実施例では、一つのインク供給路しかないタイプの記録素子基板について述べたが、一つの記録素子基板に対して複数のインク供給路を有するタイプの記録素子基板であっても同様の効果が得られる。
【実施例３】
【００５９】
図１４に本発明の第三の実施例に用いた記録素子基板Ｈ１１００の斜視図を示した。インク供給路Ｈ１１０２をはさんで片側に開口面積が小さな吐出口Ｈ３２０１が複数配列された吐出口群Ｈ３２０１-Ａ、もう一方の側に開口面積が大きな吐出口Ｈ３２０２が複数配列された吐出口群Ｈ３２０２-Ａが配列されている。記録素子基板Ｈ１１００の一つのインク供給路Ｈ１１０２から、開口面積が小さな吐出口群Ｈ３２０１-Ａと開口面積が大きな吐出口群Ｈ３２０２-Ａの両方の吐出口群へインクを供給する構成になっている。
【００６０】
図１５は図１４の矢視B-Bで示した記録素子基板Ｈ１１００の断面図である。
【００６１】
本実施例ではインクジェット記録装置の記録ヘッドＨ１００１の吸引回復手段の一部として、それぞれの吐出口群の位置に対応するように、図１６に示したキャップＨ３３００が設けられている。キャップＨ３３００の内部は、開口面積の小さな吐出口群Ｈ３２０１-A、開口面積の大きな吐出口群Ｈ３２０２-Aに対応するように２つの空間Ｈ３３０１、Ｈ３３０２に仕切られており、キャップ外縁部Ｈ３３０５と記録素子基板Ｈ１１００の表面が当接することで各々独立した空間が形成される。各吐出口群を覆うキャップの内部には、吸引ポンプと繋がる吸引路Ｈ３３０３、Ｈ３３０４がそれぞれ設けられている。これらの吸引路を通じて、キャップＨ３３００の内部に仕切られた空間Ｈ３３０１、Ｈ３３０２に対して、独立して吸引力を作用させることができる。この場合、吸引路毎に吸引ポンプを設けても良いし、吸引ポンプと繋がる複数の吸引路にそれぞれバルブを設けてキャップＨ３３００の内部で仕切られた空間毎に吸引力を作用させるように構成しても良い。また本実施例では、一体的に形成され、各吐出口群の間に仕切りを設けた図１６のような形状のキャップとしたが、キャップは互いに隣接するように配置された別体のキャップであっても良い。
【００６２】
本実施例において、記録ヘッドＨ１００１の吸引回復の必要が生じた場合、記録ヘッドＨ１００１は記録媒体の無い記録領域外にてキャップＨ３３００が記録素子基板Ｈ１１００の表面を覆い、キャップクローズの状態となる。この状態で吸引ポンプを動作させ、キャップＨ３３００の内部の仕切られた空間Ｈ３３０１、Ｈ３３０２に対して吸引力を作用させる。吸引回復動作を行なう際には、開口面積が小さな吐出口群Ｈ３２０１-Ａの回復に先立ち、開口面積が大きな吐出口群Ｈ３２０２-Ａから吸引する。これは、インク供給路Ｈ１１０２内に浮遊している異物、あるいは小さな吐出口群Ｈ３２０１-Ａの周囲に浮遊し、回復動作時にこれら小さな吐出口Ｈ３２０１に詰まってしまうようなゴミ等の異物を、開口面積の大きな吐出口群Ｈ３２０２-Ａから回復することで、先に記録ヘッドＨ１００１外へ排出するためである。
【００６３】
開口面積の大きな吐出口群Ｈ３２０２-Ａを覆うキャップＨ３３００の内部空間Ｈ３３０２に連通した不図示の吸引ポンプを動作させることによって同空間内に吸引力を作用させる。この際、開口面積の小さな吐出口群Ｈ３２０１を覆うキャップＨ３３００の内部空間Ｈ３３０１-Ａは大気と連通していない密閉された状態になっている。よって、第１のプレートＨ１２００のインク供給路Ｈ１２０１内にある異物、あるいは記録素子基板Ｈ１１００のインク流路Ｈ１１０２内にある異物はインク流に沿って、吸引路Ｈ３３０４を通して記録ヘッド外へ排出される。
【００６４】
開口面積の大きな吐出口群Ｈ３２０２-Ａからの吸引回復が終了した後に、開口面積の小さな吐出口群Ｈ３２０１-Ａの吸引回復を行なう。その際に、開口面積の大きな吐出口群Ｈ３２０２-ＡはキャップＨ３３００によって密閉されているので、吸引回復時の開口面積の大きな吐出口群Ｈ３２０２-Ａへの空気の入り込みを防止し、インク落ちによる印字不良を防止できる。
【００６５】
本実施例においても実施例１と同様に、小さな開口面積の吐出口Ｈ３２０１に詰まった異物を除去する第二の方法を選択しても良い。すなわち、異物を除去する第二の方法として、開口面積の小さな吐出口群Ｈ３２０１-Ａを覆うキャップＨ３３００の内部空間Ｈ３３０１を大気連通の状態とする。更に、記録ヘッドＨ１００１の記録素子基板H１１００のインク流路Ｈ１１０２の上流側に設けられた不図示のバルブを閉じた状態とし、インク供給ユニット側から新しいインクが記録ヘッドＨ１００１内に供給されないようにする。この状態で不図示の吸引ポンプを動作させ、開口面積の大きな吐出口群Ｈ３２０２-Ａからインクを吸引する。開口面積の小さな吐出口群Ｈ３２０１-Ａの吐出口Ｈ３２０１は大気と連通した状態になっているので、開口面積の小さな吐出口Ｈ３２０１に詰まった異物、記録素子基板Ｈ１１００のインク流路内Ｈ１１０２に浮遊する異物はインクと空気の両方の流れと共に、吸引路Ｈ３３０４を通して記録ヘッド外へ排出される。開口面積の大きな吐出口群Ｈ３２０２-Ａからの吸引回復が終了した後に、開口面積の小さな吐出口群Ｈ３２０１-Ａの吸引回復を行なう。その際に、記録ヘッドＨ１００１の記録素子基板H１１００のインク流路Ｈ１１０２の上流側に設けられた不図示のバルブは開いた状態とし、インク供給ユニット側から新しいインクが記録ヘッドＨ１００１内に供給されるようにする。前記の状態で、キャップＨ３３００の内部空間Ｈ３３０１内に連通した不図示の吸引ポンプを動作させることによって、同空間に吸引力を作用させ、記録素子基板Ｈ１１００のインク供給路Ｈ１１０２を新しいインクで満たす。本実施例の第二の吸引回復方法でインク流路内Ｈ１１０２内が十分に新しいインクで満たされない場合は、キャップＨ３３００の内部空間Ｈ３３０１内に吸引力を作用させた後、もしくはキャップＨ３３００の内部空間Ｈ３３０１内に吸引力を作用させるのと同時にキャップＨ３３００の内部空間Ｈ３３０２にも吸引力を作用させても良い。
【００６６】
本実施例では、一つのインク供給路しかないタイプの記録素子基板について述べたが、一つの記録素子基板に対して複数のインク供給路を有するタイプの記録素子基板であっても同様の効果が得られる。
【実施例４】
【００６７】
本発明の第四の実施例では、図１４に示した構成の記録素子基板Ｈ１１００と、図１７に示した形状のキャップＨ３４００を用いた。本実施例ではインクジェット記録装置の記録ヘッドＨ１００１の吸引回復手段の一部として、図１４に示した吐出口群Ｈ３２０１-Ａ、Ｈ３２０２-Ｂのいずれにも対応するように、図１７に示したようなキャップＨ３４００に内部空間Ｈ３４０１が設けられている。キャップの内部には不図示の吸引ポンプと繋がる吸引路Ｈ３４０２が設けられており、吸引路Ｈ３４０２を通じてキャップＨ３４００の内部空間Ｈ３４０１に吸引力を作用させることができる。
【００６８】
本実施例において、記録ヘッドＨ１００１の吸引回復の必要が生じた場合、記録ヘッドＨ１００１は記録媒体の無い記録領域外にてキャップＨ３４００が記録ヘッドＨ１００１の記録素子基板Ｈ１１００の表面を覆い、キャップクローズの状態となる。この状態で不図示の吸引ポンプを動作させ、キャップＨ３４００の内部空間Ｈ３４０１に対して吸引力を作用させる。吸引回復動作を行なう際には、開口面積が小さな吐出口群Ｈ３２０１-Ａの回復に先立ち、開口面積が大きな吐出口群Ｈ３２０２-Ａから吸引する。これは、インク供給路Ｈ１１０２内に浮遊している異物、あるいは小さな吐出口群Ｈ３２０１の周囲に浮遊し、回復動作時にこれら小さな吐出口Ｈ３２０１に詰まってしまうようなゴミ等の異物を、開口面積の大きな吐出口群Ｈ３２０２-Ａから回復することで、先に記録ヘッドＨ１００１外へ排出するためである。
【００６９】
図１８（ａ）に、開口面積が大きな吐出口群Ｈ３２０２-Ａからインクを吸引する際にキャップクローズとなった状態を示す。キャップＨ３４００の内部空間Ｈ３４０１は、開口面積の大きな吐出口群Ｈ３２０２-Ａを覆っており、キャップＨ３４００の外縁部Ｈ３４０３は開口面積の小さな吐出口群Ｈ３２０１-Ａを塞いでいる。この状態で、開口面積の大きな吐出口群Ｈ３２０２-Ａを覆うキャップＨ３４００の内部空間Ｈ３４０１に吸引力を作用させることで、第１のプレートＨ１２００のインク供給路Ｈ１２０１内にある異物、あるいは記録素子基板Ｈ１１００のインク流路Ｈ１１０２内にある異物をインク流に沿って、吸引路Ｈ３４０２を通して記録ヘッドＨ１００１外へ排出する。
【００７０】
開口面積の大きな吐出口群Ｈ３２０２-Ａの吸引回復が終了した後に、開口面積の小さな吐出口群Ｈ３２０１-Ａの吸引回復を行なう。その際にはキャップクローズの状態を一旦開放し、図１８（ｂ）に示したようにキャップＨ３４００の内部空間Ｈ３４０１が開口面積の小さな吐出口群Ｈ３２０１-Ａを覆い、キャップＨ３４００の外縁部Ｈ３４０３が開口面積の大きな吐出口群Ｈ３２０２-Ａを塞ぐように記録素子基板Ｈ１１００に対するキャップＨ３４００の位置を変更する。いずれの場合も、吸引回復されていない吐出口群はキャップＨ３４００の外縁部Ｈ３４０３によって密閉されているので、吸引回復時の各吐出口群への空気の入り込みを防止し、インク落ちによる印字不良を防止できる。
【００７１】
本実施例では、一つのインク供給路しかないタイプの記録素子基板について述べたが、一つの記録素子基板に対して複数のインク供給路を有するタイプの記録素子基板であっても同様の効果が得られる。
【図面の簡単な説明】
【００７２】
【図１】第一、第二実施例の記録ヘッドに用いられる記録素子基板の斜視図。
【図２】インクジェット記録ヘッドの構成を示す分解斜視図。
【図３】インクジェット記録ヘッドの構成を示す詳細分解斜視図。
【図４】インクジェット記録ヘッドを示す斜視図。
【図５】インクジェット記録ヘッドに用いられる第二の記録素子基板を示す斜視図。
【図６】インクジェット記録ヘッドの断面図。
【図７】インクジェット記録ヘッドの斜視図。
【図８】インクジェット記録ヘッドカートリッジの斜視図。
【図９】第一、第二実施例の記録ヘッドに用いられる記録素子基板の断面図。
【図１０】第一、第二実施例に用いられるキャップの斜視図。
【図１１】第一実施例の記録ヘッドでインクが排出される状態の側断面図(a)、及び第一実施例の記録ヘッドでインク流れの淀み部を示す側断面図(b)。
【図１２】第二実施例の記録ヘッドでインクが排出される状態の側断面図。
【図１３】第二実施例の記録ヘッドでインクが排出される状態の側断面図。
【図１４】第三、第四実施例の記録ヘッドに用いられる記録素子基板の斜視図。
【図１５】第三、第四実施例の記録ヘッドに用いられる記録素子基板の断面図。
【図１６】第三実施例に用いられるキャップの斜視図。
【図１７】第四実施例に用いられるキャップの斜視図。
【図１８】第四実施例で開口面積が大きな吐出口群がキャップクローズとなった状態(a)、及び第四実施例で開口面積が小さな吐出口群がキャップクローズとなった状態(b)。
【図１９】インクジェット記録ヘッドを示す斜視図。
【符号の説明】
【００７３】
Ｈ１０００  記録ヘッドカートリッジ
Ｈ１００１  記録ヘッド
Ｈ１１００  記録素子基板
Ｈ１１０１  第二の記録素子基板
Ｈ１１０２  インク供給路
Ｈ１１０３  電気熱変換素子
Ｈ１１０４  電極部
Ｈ１１０５  バンプ
Ｈ１１０６  インク流路壁
Ｈ１２００  第一のプレート
Ｈ１３００  電気配線テープ
Ｈ１５００  インク供給ユニット
Ｈ１８００  インクタンク
Ｈ１８０１  チューブ
【図１】
2006231742.tif 000003
【図２】
2006231742.tif 000004
【図３】
2006231742.tif 000005
【図４】
2006231742.tif 000006
【図５】
2006231742.tif 000007
【図６】
2006231742.tif 000008
【図７】
2006231742.tif 000009
【図８】
2006231742.tif 000010
【図９】
2006231742.tif 000011
【図１０】
2006231742.tif 000012
【図１１】
2006231742.tif 000013
【図１２】
2006231742.tif 000014
【図１３】
2006231742.tif 000015
【図１４】
2006231742.tif 000016
【図１５】
2006231742.tif 000017
【図１６】
2006231742.tif 000018
【図１７】
2006231742.tif 000019
【図１８】
2006231742.tif 000020
【図１９】
2006231742.tif 000021